【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
飛行中に航空機内のガスタービンエンジン（１０２、１０４）から大気データを取得するステップと（４０２）、
大気データを処理（４０４、４０８）して大気中の水分含有量を決定するステップと、
少なくとも１つの大気データと水分含有量を天気予報モデル（４１２）へ伝達（４１０）するステップと、
少なくとも１つの大気データと水分含有量に基づいて天気を予測するステップ
を含む、天気を予報する方法（４００）。
【請求項２】
大気データを取得するステップが、ガスタービンエンジンの処理パラメータを監視するセンサ（１１２）を使用して大気データを取得するステップを含む、請求項１に記載の方法。
【請求項３】
大気データを取得するステップが、コンプレッサー入口温度、コンプレッサー入口圧力、コンプレッサー排出口温度、及びコンプレッサー排出口圧力の少なくとも１つを取得するステップを含む、請求項１または２に記載の方法。
【請求項４】
大気データを処理するステップが、ガスタービンエンジンを通って流れる空気の比熱比（４０６）を決定するステップを含む、請求項１乃至３のいずれか１項に記載の方法。
【請求項５】
大気データを処理するステップが、比熱比から絶対湿度を決定するステップを含む、請求項４に記載の方法。
【請求項６】
ガスタービンエンジン（１０２、１０４）において一容量の空気の比熱（４０６）を決定するステップと、
一容量の空気の比熱を使用して一容量の空気の水分含有量（４０８）を決定するステップ
を含む、天気を予報する方法（４００）。
【請求項７】
一容量の空気の比熱を決定するステップが、第１位置で第１気温及び第１気圧を測定するステップと第２位置で第２気温及び第２気圧を測定するステップとを含み、
一容量の空気の水分含有量を決定するステップが、第１及び第２気温と第１及び第２気圧から比熱比を計算するステップを含む、請求項６に記載の方法。
【請求項８】
コンプレッサー（２１８）、及び
前記コンプレッサーに接続され、前記コンプレッサーを通って流れる空気から大気データを取得する少なくとも１つのパフォーマンスセンサ
を備える、大気監視システム。
【請求項９】
前記少なくとも１つのセンサが、温度センサ及び圧力センサのうちの少なくとも１つからなる、請求項８に記載のシステム。
【請求項１０】
前記少なくとも１つのセンサが、コンプレッサー入口温度センサ及びコンプレッサー入口圧力センサのうちの少なくとも１つからなる、請求項９に記載のシステム。
【請求項１１】
前記少なくとも１つのセンサが、コンプレッサー排出口温度センサ及びコンプレッサー排出口圧力センサのうちの少なくとも１つからなる、請求項９に記載のシステム。
【請求項１２】
前記少なくとも１つのセンサに通信可能に接続されたプロセッサをさらに備える、請求項８乃至１１のいずれか１項に記載のシステムであって、前記プロセッサが、
取得した大気データから比熱比を計算し、
比熱比から大気の水分含有量を決定する
ように構成されている、システム。
【請求項１３】
前記少なくとも１つのセンサに通信可能に接続されており、非等エントロピー圧縮を補正するように構成されているプロセッサをさらに備える、請求項８乃至１２のいずれか１項に記載のシステム。
【請求項１４】
前記少なくとも１つのセンサに通信可能に接続されており、コンプレッサーの上流である第１位置で測定された第１気温及び第１気圧を受信するように構成されているプロセッサをさらに備える、請求項８乃至１３のいずれか１項に記載のシステム。
【手続補正２】
【補正対象書類名】明細書
【補正対象項目名】００４１
【補正方法】変更
【補正の内容】
【００４１】
本発明を様々な特定の実施形態の観点から説明してきたが、当業者には請求項の範囲内で本発明に変更を加えて実行することが可能であることが分かるであろう。
また、本発明は以下に記載する態様を含む。
（態様１）
飛行中に航空機内のガスタービンエンジン（１０２、１０４）から大気データを取得するステップと（４０２）、
大気データを処理（４０４、４０８）して大気中の水分含有量を決定するステップと、
少なくとも１つの大気データと水分含有量を天気予報モデル（４１２）へ伝達（４１０）するステップと、
少なくとも１つの大気データと水分含有量に基づいて天気を予測するステップ
を含む、天気を予報する方法（４００）。
（態様２）
大気データを取得するステップが、ガスタービンエンジンの処理パラメータを監視するセンサ（１１２）を使用して大気データを取得するステップを含む、態様１に記載の方法。
（態様３）
大気データを取得するステップが、ガスタービンエンジンに流入する周囲空気の少なくとも一部から大気データを取得するステップを含む、態様１又は２に記載の方法。
（態様４）
大気データを取得するステップが、コンプレッサー入口温度、コンプレッサー入口圧力、コンプレッサー排出口温度、及びコンプレッサー排出口圧力の少なくとも１つを取得するステップを含む、態様１乃至３のいずれか１項に記載の方法。
（態様５）
大気データを処理するステップが、ガスタービンエンジンを通って流れる空気の比熱比（４０６）を決定するステップを含む、態様１乃至４のいずれか１項に記載の方法。
（態様６）
大気データを処理するステップが、比熱比から絶対湿度を決定するステップを含む、態様５に記載の方法。
（態様７）
絶対湿度を決定するステップが、空気の水分含有量を決定するステップを含む、態様６に記載の方法。
（態様８）
空気の水分含有量を決定するステップが、参照テーブルを使用して空気の水分含有量を決定するステップを含む、態様７に記載の方法。
（態様９）
データが取得されたときに時間と航空機の位置を大気データに刻印するステップをさらに含む、態様１乃至８のいずれか１項に記載の方法。
（態様１０）
今後のダウンロード用に機内においてデータが取得されたときに時間と航空機の位置とともに大気データを保存するステップをさらに含む、態様１乃至９のいずれか１項に記載の方法。
（態様１１）
ガスタービンエンジン以外の発信源から天気予報モデルにおいて大気データを受信するステップをさらに含む、態様１乃至１０のいずれか１項に記載の方法。
（態様１２）
天気予報モデルに少なくとも１つの大気データと水分含有量を伝達するステップが、マルチモードネットワーク（１１６、１２０、１２２、１２４）を通して航空機から天気予報モデルに少なくとも１つの大気データと水分含有量を伝達するステップを含む、態様１乃至１１のいずれか１項に記載の方法。
（態様１３）
ガスタービンエンジン（１０２、１０４）において一容量の空気の比熱（４０６）を決定するステップと、
一容量の空気の比熱を使用して一容量の空気の水分含有量（４０８）を決定するステップ
を含む、天気を予報する方法（４００）。
（態様１４）
一容量の空気の比熱を決定するステップが、第１位置で第１気温及び第１気圧を測定するステップを含む、態様１３に記載の方法。
（態様１５）
一容量の空気の比熱を決定するステップが、第２位置で第２気温及び第２気圧を測定するステップを含む、態様１４に記載の方法。
（態様１６）
一容量の空気の水分含有量を決定するステップが、第１及び第２気温と第１及び第２気圧から比熱比を計算するステップを含む、態様１３乃至１５に記載の方法。
（態様１７）
比熱比から大気の水分含有量を決定するステップが、参照テーブルを使用するステップを含む、態様１６に記載の方法。
（態様１８）
コンプレッサー（２１８）、及び
前記コンプレッサーに接続され、前記コンプレッサーを通って流れる空気から大気データを取得する少なくとも１つのパフォーマンスセンサ
を備える、大気監視システム。
（態様１９）
前記コンプレッサーが、タービンエンジン及びスーパーチャージャーの一部のうちの少なくとも１つである、態様１８に記載のシステム。
（態様２０）
前記少なくとも１つのセンサが、温度センサ及び圧力センサのうちの少なくとも１つからなる、態様１８又は１９に記載のシステム。
（態様２１）
前記少なくとも１つのセンサが、コンプレッサー入口温度センサ及びコンプレッサー入口圧力センサのうちの少なくとも１つからなる、態様２０に記載のシステム。
（態様２２）
前記少なくとも１つのセンサが、コンプレッサー排出口温度センサ及びコンプレッサー排出口圧力センサのうちの少なくとも１つからなる、態様２０に記載のシステム。
（態様２３）
前記少なくとも１つのセンサに通信可能に接続されたプロセッサをさらに備える、態様１８乃至２２のいずれか１項に記載のシステムであって、前記プロセッサが、
取得した大気データから比熱比を計算し、
比熱比から大気の水分含有量を決定する
ように構成されている、システム。
（態様２４）
前記プロセッサが、理想の気体挙動と、エンジンを通って流れる空気の等エントロピー圧縮を推測するように構成されている、態様２３に記載のシステム。
（態様２５）
前記プロセッサが、エンジンを通って流れる空気の非理想的な気体挙動を補正するように構成されている、態様２３又は２４に記載のシステム。
（態様２６）
前記プロセッサが、参照テーブルを使用して比熱比から大気の水分含有量を決定するように構成されている、態様２３乃至２５のいずれか１項に記載のシステム。
（態様２７）
前記プロセッサが、比熱比と絶対湿度の関係を示す参照テーブルを使用して比熱比から大気の水分含有量を決定するように構成されている、態様２６に記載のシステム。
（態様２８）
前記少なくとも１つのセンサに通信可能に接続されており、非等エントロピー圧縮を補正するように構成されているプロセッサをさらに備える、態様１８乃至２７のいずれか１項に記載のシステム。
（態様２９）
前記少なくとも１つのセンサに通信可能に接続されており、コンプレッサーの上流である第１位置で測定された第１気温及び第１気圧を受信するように構成されているプロセッサをさらに備える、態様１８乃至２８のいずれか１項に記載のシステム。
（態様３０）
前記プロセッサが、コンプレッサー及びコンプレッサーステージの少なくとも１つの下流である第２位置において測定された第２気温及び第２気圧を受信するように構成されている、態様２９に記載のシステム。
（態様３１）
前記プロセッサが、
ほぼ同時に測定される第１気温、第２気温、第１気圧、及び第２気圧のうちの少なくとも１つを測定した時間及び位置を記録し、
各測定値、それぞれの時間、及びそれぞれの位置を天気予報モデルに伝達する、態様３０に記載のシステム。
（態様３２）
第１気温、第２気温、第１気圧、及び第２気圧、そしてこれらから算出される比熱比及びこれらから算出される絶対湿度のうちの少なくとも１つの測定値を使用して天気予報を作成する天気予報モデルをさらに備える、態様３１に記載のシステム。
（態様３３）
前記天気予報モデルが、複数の時間及び位置から大気測定値を受信するように構成されており、追加の大気測定値はコンプレッサー以外から取得される、態様３２に記載のシステム。